(57)【要約】【課題】貯水タンクなどの給水手段を用いることなく、帯電していないミストを生成できる結露水霧化装置およびそれを備えるヘアドライヤーを提供する。【解決手段】ペルチェ素子と、ペルチェ素子の冷却面と熱的に接続された薄板と、薄板に貼着され薄板を振動させるピエゾ素子とを備える結露水霧化装置を提供する。また、吸入口から吹出口へ向かう空気流を生成するファンと、当該空気流に霧化された液滴を付与する上記の結露水霧化装置と、保持する美容成分を空気流に含まれる液滴を媒体として空気流に放出する美容成分保持部材とを備えるヘアドライヤーを提供する。【選択図】図３
2019111156.tif 000002
【特許請求の範囲】
【請求項１】
ペルチェ素子と、
前記ペルチェ素子の冷却面と熱的に接続された薄板と、
前記薄板に貼着され前記薄板を振動させるピエゾ素子と
を備える結露水霧化装置。
【請求項２】
前記薄板は、前記冷却面と接触する領域である接触部と、前記ピエゾ素子によって振動される振動部を含み、
前記接触部のうち、前記冷却面と接触する面とは反対側の面の少なくとも一部を覆う断熱材を備える請求項１に記載の結露水霧化装置。
【請求項３】
前記薄板は、振幅が最大となる領域が重力方向の下部となるように配置されている請求項１または２に記載の結露水霧化装置。
【請求項４】
前記薄板は、振幅が最大となる領域に結露水を導くガイド溝を有する請求項１から３のいずれか１項に記載の結露水霧化装置。
【請求項５】
前記薄板を接地電極として放電を発生させ、結露水を帯電させる放電電極を備える請求項１から４のいずれか１項に記載の結露水霧化装置。
【請求項６】
前記薄板で結露した結露水を、前記放電電極で放電を発生させずに前記ピエゾ素子を振動させて飛散させる第１モードと、前記放電電極で放電を発生させ、かつ前記ピエゾ素子を振動させて飛散させる第２モードとを切り替えて、前記ピエゾ素子と前記放電電極を制御可能な制御部を備える請求項５に記載の結露水霧化装置。
【請求項７】
前記制御部は、前記第２モードで前記ピエゾ素子と前記放電電極を制御する場合は、前記ピエゾ素子の振動と前記放電電極の放電のタイミングを制御する請求項６に記載の結露水霧化装置。
【請求項８】
前記制御部は、前記第１モードと前記第２モードに加え、前記薄板で結露した結露水を、前記ピエゾ素子を振動させずに前記放電電極で放電を発生させて飛散させる第３モードとを切り替えて、前記ピエゾ素子と前記放電電極を制御可能な請求項６または７に記載の結露水霧化装置。
【請求項９】
吸入口から吹出口へ向かう空気流を生成するファンと、
前記空気流に霧化された液滴を付与する請求項１から８のいずれか１項に記載の結露水霧化装置と、
保持する美容成分を前記空気流に含まれる前記液滴を媒体として前記空気流に放出する美容成分保持部材と
を備えるヘアドライヤー。
【発明の詳細な説明】
【技術分野】
【０００１】
本発明は、結露水霧化装置およびヘアドライヤーに関する。
【背景技術】
【０００２】
コラーゲンなどの美容成分を空気流に乗せて毛髪に放散するヘアドライヤーが知られている（例えば、特許文献１参照）。
【先行技術文献】
【特許文献】
【０００３】
【特許文献１】特開２０１５−１９８５４号公報
【発明の概要】
【発明が解決しようとする課題】
【０００４】
特許文献１に記載の霧化装置は、放電電極で発生させる放電により結露水を飛散させ、ミストを生成している。しかし、放散させる美容成分によっては、帯電していないミストを媒体とすることが好ましい場合もある。
【０００５】
本発明は、このような問題を解決するためになされたものであり、貯水タンクなどの給水手段を用いることなく、帯電していないミストを生成できる結露水霧化装置およびそれを備えるヘアドライヤーを提供するものである。
【課題を解決するための手段】
【０００６】
本発明の第１の態様における霧化装置は、ペルチェ素子と、ペルチェ素子の冷却面と熱的に接続された薄板と、薄板に貼着され薄板を振動させるピエゾ素子とを備える。また、本発明の第２の態様におけるヘアドライヤーは、吸入口から吹出口へ向かう空気流を生成するファンと、当該空気流に霧化された液滴を付与する上記の結露水霧化装置と、保持する美容成分を空気流に含まれる液滴を媒体として空気流に放出する美容成分保持部材とを備える。
【発明の効果】
【０００７】
本発明により、貯水タンクなどの給水手段を用いることなく、帯電していないミストを生成できる結露水霧化装置およびそれを備えるヘアドライヤーを提供することができる。
【図面の簡単な説明】
【０００８】
【図１】本実施形態に係るヘアドライヤーの全体斜視図である。
【図２】カートリッジを装着する様子を示す部分拡大図である。
【図３】ハウジングの中央断面の様子を模式的に示す図である。
【図４】霧化装置を模式的に示す図である。
【図５】カートリッジの全体斜視図である。
【図６】ヘアドライヤーのシステム構成図である。
【図７】他の例の霧化装置を模式的に示す図である。
【図８】更に他の例の霧化装置を模式的に示す図である。
【図９】更に他の例の霧化装置を模式的に示す図である。
【発明を実施するための形態】
【０００９】
以下、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本実施形態に係るヘアドライヤー１００の全体斜視図である。ヘアドライヤー１００は、主に、温風や冷風を発生させる本体ユニット１１０と、ユーザが把持するグリップユニット１８０を備える。ヘアドライヤー１００は、ＡＣ電源から供給される電力によって、熱や空気流を発生させる。
【００１１】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吐き出す空気流が少ない第２吹出口１１４とによって構成されている。なお、以降の説明においては、吸入口１１１側を上流側と称し、吹出口１１２側を下流側と称する。
【００１２】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。
【００１３】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１４】
ユーザがモードスイッチ１１５を操作して美容モードに切り替えると、美容成分が混入した空気流が第２吹出口１１４から吐出される。美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。
【００１５】
図２は、本体ユニット１１０がカートリッジ１５０を装着する様子を示す部分拡大図である。ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。開口部の奥には装着部１１８が設けられており、ユーザはカートリッジ１５０を装着部１１８へ装着することができる。カートリッジ１５０を装着して収容蓋１１７を閉じれば、ユーザは、ヘアドライヤー１００の美容モードを機能させることができる。なお、カートリッジ１５０が装着されていない状態ではモードスイッチ１１５を美容モードに切り替えられないように、モードスイッチ１１５にロック機構を設けても良い。
【００１６】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０と、装着部１１８に装着されたカートリッジ１５０を表している。
【００１７】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００１８】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１とに分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を主に温める。
【００１９】
霧化装置１３０は、空気流Ｂ１の流路中に配設されている。霧化装置１３０は、周辺空気に含まれる水分を結露させ、結露した水分をミスト化（霧化）して空気流Ｂ１に付与する結露水霧化装置である。具体的な構成については後述する。
【００２０】
カートリッジ１５０は、霧化装置１３０よりも下流側に設けられた装着部１１８に装着されている。マイナスイオンに帯電したミストがカートリッジ１５０の内部を通過すると、カートリッジ１５０に吸着保持された美容成分がミストに溶出し、第２吹出口１１４から吐出される空気流Ｂ１は、当該美容成分を適度に含んだ状態でユーザの毛髪へ到達する。
【００２１】
なお、図示するように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００２２】
図４は、霧化装置１３０を模式的に示す図であり、図３に示す霧化装置１３０を拡大した図である。霧化装置１３０は、主に、ペルチェ素子１３１、冷却板１３２、放熱フィン１３３、放電電極１３４、ピエゾ素子１３５および断熱材１３６を含む。
【００２３】
ペルチェ素子１３１の吸熱面側には導電性の冷却板１３２が貼り合わされており、冷却板１３２は、ペルチェ素子１３１によって冷却される。なお、冷却板１３２は、ペルチェ素子１３１の冷却面と直接貼り合わされていなくても、例えば熱良導体を介在させるなど、熱的に接続されていれば良い。
【００２４】
冷却板１３２は、熱良導体の薄板であり、例えばステンレス板が用いられる。冷却板１３２は、ペルチェ素子１３１の冷却面と向き合って接触する接触部１３２ａと、接触部１３２ａから上流方向（ｘ軸マイナス方向）へ向かって伸延する振動部１３２ｂとを有する。断熱材１３６は、冷却板１３２の接触部１３２ａのうち、ピエゾ素子１３５の冷却面と接触する面とは反対側の面を覆うように固定されている。断熱材１３６は、例えばウレタンシートが用いられる。したがって、接触部１３２ａの大部分は、直接的に空気流Ｂ１と接触することがないので、この表面では結露水はほとんど生成しない。
【００２５】
冷却板１３２のうち空気流Ｂ１と触れる振動部１３２ｂの表面が、空気流Ｂ１を冷却して含まれている水分を結露させる。すなわち、冷却板１３２の振動部１３２ｂは、ペルチェ素子１３１と協働して結露部として機能する。なお、結露部は、ファン１２３が回っている場合には、空気流Ｂ１に含まれる水分を結露させるが、ファン１２３が回っていない無気流の場合であっても、周囲の空気から水分を結露させることもできる。
【００２６】
振動部１３２ｂの先端部には、ピエゾ素子１３５が貼着されている。ピエゾ素子１３５は、後述するピエゾ回路と接続されており、パルス電圧が印加されることにより伸縮して振動部１３２ｂに振動を発生させる。ピエゾ素子１３５によって発生する振動は、結露水をミストＷＤとして飛散させる。すなわち、霧化装置１３０は、空気中の水分を冷却してミスト（霧化された液滴）を生成する装置として機能し、本実施形態においては、直径が十〜数百ナノメートルの液滴を生成する。なお、図においてはミストＷＤを大きく描いている。
【００２７】
ミストＷＤを発生させる手段としては、ピエゾ素子１３５のみでも良いが、本実施形態においては、更に放電電極１３４によってもミストＷＤを発生させ得る。放電電極１３４は、後述する電極回路に接続されており、冷却板１３２を接地電極として放電が発生するように、冷却板１３２の振動部１３２ｂから所定量離間して配置されている。放電電極１３４に高圧の負パルスが印加されると、放電電極１３４の先端部と冷却板１３２の間で放電が起こり、冷却板１３２の結露面に結露していた結露水が、レイリー分裂により、マイナスイオンに帯電したミストとなって飛散する。すなわち、霧化装置１３０は、マイナスイオンに帯電したミスト（静電霧化した液滴）を、空気流Ｂ１に付与する。
【００２８】
このように、放電電極１３４も備えることにより、ヘアドライヤー１００は、マイナスイオンも毛髪や頭皮に供給することができる。マイナスイオンは、毛髪のキューティクルをより引き締めることができ、より高い保湿性を維持することができる。また、ピエゾ素子１３５で振動部１３２ｂを振動させると共に放電電極１３４で放電を発生させれば、直径の異なるミストを同時に生成することも可能である。直径の異なるミストが同時に生成できれば、カートリッジ１５０が複数の美容成分を吸着保持するような場合に、それぞれに都合の良い直径のミストを供給し得る。
【００２９】
また、イオンモードスイッチを設けてマイナスイオン放出のオンオフを選択できるように構成すれば、ミストをイオンモードスイッチがオフのときにはピエゾ素子１３５で発生させ、オンのときには放電電極１３４で発生させても良い。すなわち、霧化装置１３０は、放電電極１３４で放電を発生させずにピエゾ素子１３５を振動させてミストを飛散させるモードと、ピエゾ素子１３５を振動させずに放電電極１３４で放電を発生させてミストを飛散させるモードを選択できるように構成しても良い。
【００３０】
また、霧化装置１３０は、ピエゾ素子１３５を振動させると共に放電電極１３４で放電を発生させてミストを飛散させるモードも選択できるようにしても良い。このようなモードを利用すれば、短時間に多量のミストを発生させることができる。この場合、ピエゾ素子１３５の振動と放電電極１３４の放電のタイミングを制御すれば、より効率的にミストを発生させることができる。具体的には、例えば、ピエゾ素子１３５の振動により振動部１３２ｂの放電位置が傾斜するタイミングで放電を発生させれば、空気流Ｂ１方向にミストＷＤを飛散させることができる。
【００３１】
ペルチェ素子１３１の発熱面側には放熱のための放熱フィン１３３が貼り合わされている。放熱フィン１３３から放出された熱は、空気流Ｂ１の一部に乗って第２吹出口１１４から外部に吐き出される。なお、霧化装置１３０のうち、結露部は直接的に空気流Ｂ１の流路中に配設されていなくても良い。結露面で結露した結露水がミスト化した場合に、当該ミストが空気流Ｂ１に誘引されるのであれば、空気流Ｂ１に直接晒されない箇所に配設することも可能である。
【００３２】
図５は、カートリッジ１５０の全体斜視図である。カートリッジ１５０は、上述のように、美容成分を吸着保持する美容成分保持部材である。吸着保持する美容成分は、霧化装置１３０で発生したミストを媒体として空気流Ｂ１に放出される。美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００３３】
また、例えばコラーゲンなどに担持させるなどの態様により、金属微粒子を美容成分として採用することもできる。美容成分となり得る金属としては、金、銀、銅、白金、亜鉛、チタンが候補として挙げられる。このような金属微粒子は、毛髪に付着して抗菌作用や抗酸化作用を生じさせることができる。特に白金の微粒子は、抗酸化作用が極めて高いことが知られており、美容成分として採用すると良い。
【００３４】
カートリッジ１５０は、本体部１５１と、本体部１５１に複数設けられた貫通孔１５２によって構成されている。本体部１５１は、多孔質素材が用いられることが好ましく、例えばセラミック焼結体である。多孔質素材の空隙は、美容成分を吸着保持させる空間として利用できるので、本体部１５１は、多孔質素材でない場合に比べて多量の美容成分を保持することができる。
【００３５】
複数の貫通孔１５２は、カートリッジ１５０が装着部１１８に装着された場合に、空気流Ｂ１に沿うように設けられている。換言すると、装着部１１８は、貫通孔１５２が空気流Ｂ１に沿う向きにカートリッジ１５０が装着されるよう、収容形状が規定されている。したがって、空気流Ｂ１の少なくとも一部は、貫通孔１５２の内部を通過する。
【００３６】
霧化装置１３０で生成されたミストを含む空気流Ｂ１が貫通孔１５２を通過したときに、当該ミストが貫通孔１５２の内面と接触して美容成分を溶かし込むように、当該美容成分は、貫通孔の内面に一定の厚みをもって吸着されている。貫通孔１５２の内面に吸着保持された美容成分が、ヘアドライヤー１００の使用により消費され、多孔質素材の空隙から滲出する美容成分も消尽されると、カートリッジ１５０は交換時期を迎える。
【００３７】
図６は、ヘアドライヤー１００のシステム構成図である。ヘアドライヤー１００は、例えばマイクロプロセッサである制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３、電極回路１９４およびピエゾ回路１９５である。
【００３８】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３９】
ペルチェ回路１９３は、ペルチェ素子１３１を駆動して吸熱面から発熱面へ熱移動させる回路である。制御部１９０は、結露部で結露水を生成する場合に、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、マイナスイオンを発生させて結露水を飛散させる場合に、電極回路１９４が機能するように制御する。ピエゾ回路１９５は、周期的なパルス電圧を印加してピエゾ素子１３５を振動させる回路である。制御部１９０は、結露水を飛散させる場合に、ピエゾ回路１９５が機能するように制御する。
【００４０】
次に、霧化装置の他の実施例について説明する。図７は、他の実施例の霧化装置２３０を模式的に示す図である。図７（ａ）は、霧化装置２３０を第２吹出口１１３側から観察した要部断面図であり、図７（ｂ）は、霧化装置２３０を図４と同様に側方から観察した要部断面図である。霧化装置１３０と同じ要素については同符番を付してその説明を省略する。
【００４１】
霧化装置２３０の冷却板２３２は、霧化装置１３０の冷却板１３２と同様に熱良導体の薄板である。また、冷却板２３２は、冷却板１３２と同様に、接触部２３２ａと振動部２３２ｂを有し、接触部２３２ａは、接触部１３２ａと同様に、ペルチェ素子１３１の冷却面と向き合って接触する。しかし、振動部２３２ｂの構成が振動部１３２ｂと異なる。
【００４２】
振動部２３２ｂは、ペルチェ素子１３１の冷却面の端部において、接触部２３２ａとの境界となるｘ軸と平行な折曲線に沿って折曲げられ、下方に垂れ下がるように配置されている。ここで、下方とは、ヘアドライヤー１００の通常の使用状態において重力方向であるｚ軸マイナス方向である。振動部２３２ｂは、下方で幅狭となる形状であり、生成された結露水が重力によって寄せ集められ、下端の一箇所に集中するようになっている。また、結露水がスムーズに寄せ集められるように、その表面にはガイド溝２３２ｃが設けられている。ガイド溝２３２ｃは、例えば、図７（ｂ）に示すように、外側から中心に向かって傾斜する複数の溝である。
【００４３】
このように配置された振動部２３２ｂも、空気流Ｂ１を冷却して結露水を生成することができる。そして、振動部２３２ｂのうち折曲線近傍に配置されたピエゾ素子１３５を振動させると、先端部ほど大きく振動して、集められた結露水を空気流Ｂ１中へ効率的に飛散させることができる。また、先端部に対向して配置された放電電極１３４で放電を発生させても、集められた結露水を空気流Ｂ１中へ飛散させることができる。
【００４４】
図８は、更に他の実施例の霧化装置３３０を模式的に示す図である。図８は、霧化装置３３０を図７（ａ）と同様に第２吹出口１１３側から観察した要部断面図である。霧化装置１３０と同じ要素については同符番を付してその説明を省略する。
【００４５】
霧化装置３３０は、ペルチェ素子１３１を２つ備える。霧化装置３３０の放熱フィン３３３は、それぞれのペルチェ素子１３１の発熱面と接触する接触面３３３ａが、空気流Ｂ１の流路中心近傍へ向かって傾斜する傾斜面になっている。それぞれのペルチェ素子１３１は、接触面３３３ａに固定されている。
【００４６】
霧化装置３３０の冷却板３３２は、霧化装置１３０の冷却板１３２と同様に熱良導体の薄板である。冷却板３３２は、側部がそれぞれのペルチェ素子１３１の冷却面と接触する接触部３３２ａとなっており、両側部を接続する中央部が空気流Ｂ１の流路中心近傍を頂点として撓んだ形状を成す振動部３３２ｂとなっている。すなわち、冷却板２３２は、図８に示す断面において略Ｖ字形状に配置されている。
【００４７】
冷却板２３２の頂点部は、ヘアドライヤー１００の通常の使用状態において重力方向であるｚ軸マイナス方向に位置するので、接触部３３２ａおよび振動部３３２ｂの表面で生成された結露水は、重力によって寄せ集められ、頂点部に集中する。また、結露水がスムーズに寄せ集められるように、接触部３３２ａおよび振動部３３２ｂの表面にはガイド溝が設けられていても良い。
【００４８】
ピエゾ素子１３５は、冷却板３３２の頂点部の内側（放熱フィン３３３側）に貼着されている。このように重力方向の下端である頂点部に配置されたピエゾ素子１３５を振動させると、頂点部がより大きく振動し、集められた結露水を空気流Ｂ１中へ効率的に飛散させることができる。また、頂点部の外側に対向して配置された放電電極１３４で放電を発生させても、集められた結露水を空気流Ｂ１中へ飛散させることができる。なお、霧化装置３３０は、霧化装置１３０、２３０と異なり、接触部３３２ａの表面を断熱材１３６で覆わなくても良い。接触部２３２ａの表面に結露する結露水も傾斜に沿って下端部に移動するので、多くの結露水を収集することができる。
【００４９】
図９は、更に他の実施例の霧化装置４３０を模式的に示す図である。図９は、霧化装置４３０を図７（ａ）と同様に第２吹出口１１３側から観察した要部断面図である。霧化装置１３０と同じ要素については同符番を付してその説明を省略する。
【００５０】
霧化装置４３０は、ペルチェ素子１３１を２つ備える。霧化装置４３０の放熱フィン４３３は、それぞれのペルチェ素子１３１の発熱面と接触する接触面がｚ軸プラス方向に向けられ、熱を放散するフィンがｚ軸マイナス方向に向けられて配置されている。それぞれのペルチェ素子１３１は、発熱面が放熱フィン４３３の接触面と接触するように放熱フィン４３３上に固定されている。
【００５１】
霧化装置４３０の冷却板４３２は、霧化装置１３０の冷却板１３２と同様に熱良導体の薄板である。冷却板４３２は、側部がそれぞれのペルチェ素子１３１の冷却面と接触する接触部４３２ａとなっており、両側部を接続する中央部が空気流Ｂ１の流路中心近傍に位置する振動部４３２ｂとなっている。ペルチェ素子１３１の冷却面と接触部４３２ａとは、弾性接着層４３９を介して互いに接着されている。弾性接着層４３９は、弾性接着剤によって形成される層であり、接触部２３２ａで発生する振動を吸収する性質を有する。弾性接着剤は、熱伝導性の良いものが用いられる。例えば、金属ペーストが練り込まれたものが用いられる。
【００５２】
ピエゾ素子１３５は、冷却板４３２の中央部の内側（放熱フィン４３３側）に貼着されている。このように中央部に配置されたピエゾ素子を振動させると、振動部４３２ｂを中心として大きく振動し、かつ両側部の接触部４３２ａまで振動させることができるので、より広い面積で結露水を空気流Ｂ１中へ飛散させることができる。また、中央部の外側に対向して配置された放電電極１３４で放電を発生させても、生成した結露水を空気流Ｂ１中へ飛散させることができる。霧化装置４３０によれば、冷却板１３２の上面で結露水を生成するので、霧化装置から垂れてしまう水滴の発生を抑制できる。
【００５３】
以上、他の実施例を含めて説明した本実施形態におけるヘアドライヤー１００によれば、貯水タンクなどの給水手段を用いることなく、帯電していないミストを生成できる。なお、本実施形態においては、それぞれの霧化装置が放電電極を備える場合を説明したが、放電電極を備えない構成であっても良い。マイナスイオンを発生させる場合は、霧化装置とは独立したイオン発生ユニットを設けても良い。
【００５４】
なお、本実施形態においては、放電電極１３４に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極１３４に印加するパルスの極性を変化させることにより、マイナスイオンとプラスイオンをシーケンシャルに発生させても良い。また、放電電極１３４を複数設けて、プラスイオンとマイナスイオンを同時に発生させるようにしても良い。
【００５５】
また、以上説明した本実施形態に係るヘアドライヤー１００は、美容成分保持部材として交換式のカートリッジ１５０を採用したが、カートリッジ式ではなく、例えば美容成分を外部から注入できるような美容成分保持部材を採用しても良い。この場合の美容成分保持部材は、本体ユニット１１０に固定されていて良い。
【００５６】
上述のように、カートリッジ１５０が吸着保持する美容成分は選択的であり、例えば、いずれも装着可能なカートリッジＡとカートリッジＢに別々の美容成分を吸着保持させることもできる。ユーザは得たい効果に即してカートリッジを選択する。このような場合に、制御部１９０は、装着されたカートリッジの性質に合わせて、ピエゾ素子１３５を振動させてミストを発生させるか、放電電極１３４の放電によりミストを発生させるかを切り替えても良い。
【００５７】
以上のような構成により本実施形態に係るヘアドライヤー１００は、使用するユーザの毛髪や頭皮に美容成分を供給することができる。したがって、毛髪の表面におけるキューティクルの剥離等のような髪のダメージをより効果的に修復し、さらには毛髪の保湿もより効果的に行うことができる。特に、ヘアドライヤー１００は、ユーザが使用するたびにミストと美容成分を毛髪に供給することができるので、使用し続けることでキューティクルをより引き締めることができ、ブラッシングや温風による加熱等によるダメージを抑え、毛髪をより保湿性の高い状態に維持することができる。また、頭皮における皮脂の発生を抑制して毛穴を清潔な状態に保つことができる。さらにヘアカラーを行った場合の退色も抑制でき、染めた毛髪色を長期間に亘って維持することも期待できる。また、上記のヘアドライヤー１００は、マイナスイオンも毛髪や頭皮に供給することができるので、毛髪のキューティクルをより引き締めることができ、より高い保湿性を維持することができる。
【００５８】
また、本実施形態においては、霧化装置がヘアドライヤー１００に搭載される実施例を説明したが、霧化装置を他の装置に組み込んで利用することも可能である。例えば、乾燥した皮膚に潤いを与える装置に組み込んで利用することができる。
【符号の説明】
【００５９】
１００  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２１  ヒータ、１２２  モータ、１２３  ファン、１３０、２３０、３３０、４３０  霧化装置、１３１  ペルチェ素子、１３２、２３２  冷却板、１３２ａ、２３２ａ、３３２ａ、４３２ａ  接触部、１３２ｂ、２３２ｂ、３３２ｂ、４３２ｂ  振動部、２３２ｃ  ガイド溝、１３３、３３３、４３３  放熱フィン、３３３ａ  接触面、１３４  放電電極、１３５  ピエゾ素子、１３６  断熱材、１５０  カートリッジ、１５１  本体部、１５２  貫通孔、１８０  グリップユニット、１８１  オンオフスイッチ、１９０  制御部、１９１  ヒータ回路、１９２  モータ回路、１９３  ペルチェ回路、１９４  電極回路、１９５  ピエゾ回路、４３９  弾性接着層
【図１】
2019111156.tif 000003
【図２】
2019111156.tif 000004
【図３】
2019111156.tif 000005
【図４】
2019111156.tif 000006
【図５】
2019111156.tif 000007
【図６】
2019111156.tif 000008
【図７】
2019111156.tif 000009
【図８】
2019111156.tif 000010
【図９】
2019111156.tif 000011